(57)【特許請求の範囲】
【請求項１】
（ａ）蓄積された値を零にセットすることによって、第１の同期化符号、つまり第１のＰＳＣの標本を累積するための第１のＰＳＣ標本累積バッファと、第２の同期化符号、つまりＳＳＣの標本を累積するための第２のＳＳＣ標本累積バッファをクリアし、
（ｂ）受信される標本の第１番目の組を前記ＰＳＣ標本累積バッファに累積し、
（ｃ）前記ＰＳＣ標本累積バッファの内容に基づいて第１番目のスロットタイミング推定値を形成し、
（ｄ）前記第１番目のスロットタイミング推定値に基づいて受信される標本の第２番目の組を前記ＳＳＣ標本累積バッファに累積し、
（ｅ）前記受信される標本の第２番目の組を前記ＰＳＣ標本累積バッファに累積し、
（ｆ）前記第１番目のスロットタイミング推定値の有効性を決定するための試験を行い、前記標本累積バッファの内容に基づいてＳＳＣ復号化を行う、
諸ステップを含む信号を受信する方法。
【請求項２】
前記ステップ（ｂ）は、ＰＳＣ累積値の組を形成するために行われ、
前記ステップ（ｃ）は、ＳＳＣ累積値の組を形成するために行われる、
そして、前記ＳＳＣ復号化は：
（ｇ）ＳＳＣ符号シンボルの組を発生させるために、前記ＳＳＣ標本累積バッファの内容に基づき、且つ前記試験によって有効と判明された第１番目のスロットタイミング推定値に基づいて第１番目のＳＳＣ復号化を行い、且つ
（ｈ）ＳＳＣ符号語を発生させるために前記ＳＳＣ符号シンボルに基づいて第２番目のＳＳＣ復号化を行う、
請求項１の方法。
【請求項３】
ステップ（ｂ）における前記標本の累積は事前決定される持続時間に亘って行われる請求項２の方法。
【請求項４】
前記事前決定される時間は１つのフレームの期間である請求項３の方法。
【請求項５】
前記事前決定される時間はフレームの長さの３倍より大きい請求項３の方法。
【請求項６】
第１番目のスロットタイミング推定値を形成する前記ステップ（ｃ）が、
（ｃ１）前記ＰＳＣ標本累積バッファにおける現在の各標本オフセットについてのＰＳＣ相関エネルギーを作り出すために前記ＰＳＣ標本累積バッファの内容をＰＳＣ数列と相関させ、且つ
（ｃ２）前記相関エネルギーの最大のものに相応する標本オフセットを前記第１番目のスロットタイミング推定値として識別する、
諸サブステップを更に含む請求項２の方法。
【請求項７】
前記ステップ（ｃ１）における相関がディジタル整合フィルタを使用して行われる請求項６の方法。
【請求項８】
前記ステップ（ｆ）が、
（ｆ１）相関エネルギー比を作り出すために前記相関エネルギーの第２位最大のものによって前記相関エネルギーの前記最大のものを除算し、且つ
（ｆ２）もし前記相関エネルギー比が事前決定される相関エネルギー閾値より大きいならば前記第１番目のスロットタイミング推定値は有効であると結論する、
諸サブステップを含む請求項６の方法。
【請求項９】
前記相関エネルギーの前記第２位最大のものは相関エネルギーの標本オフセットが前記相関エネルギーの前記最大のものに関連するオフセットに直接隣接しない相関エネルギーの組から選択される請求項８の方法。
【請求項１０】
前記ステップ（ｃ）は最大の相関エネルギーを持つ貯蔵棚に隣接する貯蔵棚に関連しない第２位最大の相関エネルギーを蓄えることを更に含み、且つ前記ステップ（ｆ）は前記第１番目のスロットタイミング推定値に相応する相関エネルギーを前記第２位最大の相関エネルギーと比較し、もし前記第２位最大の相関エネルギーに対する最大の相関エネルギーの比が事前決定される相関エネルギー閾値より大きいならば前記第１番目のスロットタイミング推定値は有効と結論することを含む請求項６の方法。
【請求項１１】
前記ステップ（ｃ）が、
（ｃ１）前記ＰＳＣ標本累積バッファにおける現在の各標本オフセットについてのＰＳＣ相関エネルギーを作り出すために前記ＰＳＣ標本累積バッファの内容をＰＳＣ数列と相関させ、且つＰＳＣ相関エネルギーから得られる組をＰＳＣ相関エネルギーバッファに蓄積し、
（ｃ２）ＰＳＣ相関エネルギーバッファにおける現在の各標本オフセットについてのＰＳＣ自動相関整合エネルギーを作り出すために前記ＰＳＣ相関エネルギーバッファの内容をＰＳＣ数列の自動相関関数に基づいてＰＳＣ自動相関数列と相関させ、且つ
（ｃ３）前記ＰＳＣ自動相関整合エネルギーの最大のものに相応する標本オフセットを前記第１番目のスロットタイミング推定値として識別する、
諸サブステップを更に含む請求項２の方法。
【請求項１２】
前記ステップ（ｆ）が、
（ｆ１）前記ＰＳＣ標本累積バッファの内容に基づいて第２番目のスロットタイミング推定値を形成し、且つ
（ｆ２）前記第１番目のスロットタイミング推定値はもしそれが前記第２番目のスロットタイミング推定値と等しいならば有効であると結論する、
諸サブステップを含む請求項２の方法。
【請求項１３】
前記ステップ（ｇ）が、
（ｇ１）前記第１番目のスロットタイミング推定値がステップ（ｆ）において行われる前記試験に従い有効であると判明するまでステップ（ｃ）から（ｆ）までを繰り返し、且つ
（ｇ２）前記第１番目のスロットタイミング推定値に基づいて前記ＳＳＣ標本累積バッファの内容をＳＳＣ符号シンボルに復号化する、
諸サブステップを含む請求項２の方法。
【請求項１４】
前記第１番目のスロットタイミング推定値が有効であると判明しない間の事前決定されるＰＳＣタイムアウト期間の満了によって、前記ステップ（ｇ１）は中断され且つ前記方法の実行が前記ステップ（ａ）で再開する請求項１３の方法。
【請求項１５】
前記ステップ（ｄ）は前記受信される標本の第２番目の組を前記ＳＳＣ標本累積バッファに累積する前にその蓄積される値を零にセットすることによって前記ＳＳＣ標本累積バッファを随意にクリアすることを含み、前記随意にクリアすることは前記第１番目のスロットタイミング推定値が前のステップ（ｄ）の実行以来、事前決定される標本スロットの数より多く変化してしまっているときにのみ行われる請求項の１３方法。
【請求項１６】
前記事前決定される標本スロットの数は０である請求項１５の方法。
【請求項１７】
前記事前決定される標本スロットの数は１である請求項１５の方法。
【請求項１８】
前記第１番目のＳＳＣ復号化は相応する相関力距離の組を作り出すために前記ＳＳＣ符号シンボルの組の各々と前記ＳＳＣ標本累積バッファの内容の間の相関の度合を測定することを含む請求項２の方法。
【請求項１９】
前記第２番目のＳＳＣ復号化は前記相関力距離に基づいて前記ＳＳＣ符号語を復号化することおよび軟決定ブロック復号化手法を利用することを含む請求項１８の方法。
【請求項２０】
前記軟決定ブロック復号化手法はチェースアルゴリズムを利用する請求項１９の方法。
【請求項２１】
前記ステップ（ｈ）が、
（ｈ１）前記ＳＳＣ符号シンボルの組に基づいて最善推測ＳＳＣ復号化符号語を発生させ、
（ｈ２）前記ＳＳＣ符号シンボルの組に基づいて前記最善推測ＳＳＣ復号化符号語の有効性試験を行い、且つ
（ｈ３）  前記最善推測ＳＳＣ復号化符号語が前記有効性試験を合格するまで前記ステップ（ｄ）、（ｇ）、（ｈ１）、および（ｈ２）を繰り返す、
ことを更に含む請求項２の方法。
【請求項２２】
前記ステップ（ｈ）はサブステップ（ｈ．２）の間に受信される標本に基づき、且つ前記最善推測ＳＳＣ復号化符号語に基づくパイロットオフセットの評価を更に含む請求項２１の方法。
【請求項２３】
もし事前決定されるＳＳＣタイムアウト期間が前記ＳＳＣ符号シンボルの組が前記有効性試験を合格することなく満了し、そこで実行がステップ（ａ）で再開するならば前記ステップ（ｈ３）は中断する請求項２１の方法。
【請求項２４】
前記有効性試験は前記ＳＳＣ符号シンボルの組と有効なＳＳＣ符号語の最も近い周期的移動の間のハミング距離を測定し、且つ前記ハミング距離を事前決定される最大許容ハミング距離と比較することを含む請求項２１の方法。
【請求項２５】
（ａ）ディジタル基底帯域標本のストリームを作り出すために受信される信号をダウンコンバートし且つ標本化するための受信器、
（ｂ）前記標本の第１番目の組をＰＳＣ標本累積バッファに累積し且つ前記ＰＳＣ標本累積バッファの内容に基づいてスロットタイミング推定値を発生させるために、前記受信器に作動的に接続されるスロットタイミング検出手段、
（ｃ）実施可能な前記受信器および前記スロットタイミング検出手段に接続され、そして、
前記標本の第２番目の組を前記スロットタイミング推定値に基づいて第２の同期化符号、ＳＳＣ、標本累積バッファに累積し、
前記標本の第２番目の組を前記ＰＳＣ標本累積バッファに累積し、
前記第１番目のスロットタイミング推定値の有効性を決定するための試験を行い、
前記ＳＳＣ標本累積バッファの内容に基づいてＳＳＣ復号を行い、
前記ＳＳＣ標本累積バッファの内容に基づいてＳＳＣ情報を復号化する、
ためのＳＳＣ検出手段、
を含む信号を受信するための装置。
【請求項２６】
（ｄ）前記標本と前記ＳＳＣ情報に基づいてパイロットオフセットを決定するために、前記受信器と前記ＳＳＣ検出手段に作動的に接続されるバイロットオフセット検出手段、
を更に含む請求項２５の装置。
【請求項２７】
前記ＳＳＣ検出手段は前記ＳＳＣ標本累積バッファの内容に基づいてＳＳＣシンボルとＳＳＣシンボル相関力距離を発生させるためのＳＳＣシンボル相関器を含む請求項２６の装置。
【請求項２８】
前記ＳＳＣ検出手段は前記ＳＳＣシンボルと前記ＳＳＣシンボル相関力距離を受信し且つ前記ＳＳＣ情報を発生させるための軟決定復号化を行うために、前記ＳＳＣシンボル相関器に作動的に接続されるＳＳＣ復号器を更に含む請求項２７の装置。
【発明の詳細な説明】
【０００１】
発明の背景
１．発明の分野
本発明は無線通信に関する。特に、本発明は、非同期符号分割多元接続（ＣＤＭＡ）システムにおいて、受信される信号との同期化を達成し、これを識別する改良された方法に関する。
２．関連する技術の説明
国際電気通信連合（Ｉｎｔｅｒｎａｔｉｏｎａｌ  Ｔｅｌｅｃｏｍｍｕｎｉｃａｔｉｏｎｓ  Ｕｎｉｏｎ）は、最近、無線通信チャンネルを介して高レートデータ及び高品質通話サービスを提供するための方法の提案の提出を要請した。その提案の１つは、“ＥＳＴＩ  ＵＭＴＳ地上無線接続（ＵＴＲＡ）ＩＴＵ‐Ｒ  ＲＴＴ候補提出”と題して、欧州電気通信標準化協会（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）（ＥＳＴＩ）によって発行され、以後ＷＣＤＭＡとして参照される。これらの提出されたものの内容は、公文書記録であって、技術的には周知のものであり、ここで論議するように、ＷＣＤＭＡにおけるＰＥＲＣＨチャンネルの使用について記述している。
【０００２】
図１は、移動局に基地局との同期化を獲得させるために使用されるＷＣＤＭＡ通信システムにおける各基地局によって、ＷＣＤＭＡ  ＰＥＲＣＨチャンネル上で伝送されるフレームの一部を図示する。
【０００３】
フレームは、持続時間が１０ミリ秒で、４０，９６０個のチップからなる。フレームは、１６個のスロットに分割され、各スロットは、２５６０個のチップを持つ。各スロットは、そうすると、各部分が２５６個のチップからなる１０個の連続した部分に分割されているように考えることができる。この開示の目的のために、各スロットの１０個の部分は、１から１０までの番号が付与され、番号１のものが各スロットの中で最も早く伝送される２５６個のチップである。
【０００４】
フレームにおける各スロットの第１番目の２５６個のチップ（部分１）は、互いのトップに伝送される２つの直交数列（ｏｒｔｈｏｇｏｎａｌ  ｓｅｑｕｅｎｃｅ）からなる。２つの直交数列の第１番目は、第１の同期化符号（ＰＳＣ）数列である。ＰＳＣ数列は、ＷＣＤＭＡシステムにおけるどのスロットについても、且つ、どの基地局についてもみな同じ数列である。部分１で伝送される２つの直交数列の第２番目は、第２の同期化符号（ＳＳＣ）である。１７個の可能なＳＳＣ数列の１つは、各スロットで伝送される。
【０００５】
各スロットの部分２から５までは、伝送をする基地局のシステムアイデンティティーのような放送データ、およびその基地局と通信する全ての移動局に一般的に使用される他の情報を含む。各スロットの部分６から１０までは、前述のＵＴＲＡ標準によって定義されるような直交ゴールド（Ｏｒｔｈｏｇｏｎａｌ  Ｇｏｌｄ）符号に従って発生するパイロット信号を運ぶために使用される。
【０００６】
ＰＳＣとＳＳＣの信号は各フレームの同様な２５６‐チップ部分の間に伝送されるので、各々は他の部分における信号の半分のパワーで伝送される。換言すれば、ＰＳＣ信号は、各スロットの部分２から１０までにおける信号より３デシベル少ないパワーで伝送される。ＳＳＣ信号もまた、部分２から１０までにおける信号に比較して−３デシベルで伝送される。これは、ＰＳＣとＳＳＣの検出をより困難にするが、各フレームを通じて伝送信号パワーを一定に保つ。
【０００７】
図２は、提案されたＷＣＤＭＡ第３世代通信システムにおける最初のシステム獲得のために使用されるＰＥＲＣＨチャンネルを発生させるために使用される装置を図示する。第１の同期化符号（ＰＳＣ）発生器１は、ここで後述するシステム獲得の第１番目の段階のために使用される事前決定される２５６個のチップ数列を発生させる。ＰＳＣは、通信システムにおける全ての基地局について同じであり、且つ、各フレームの各スロットの第１番目の２５６個のチップに穿孔（ｐｕｎｃｔｕｒｅ）される。
【０００８】
ＷＣＤＭＡシステムにおいては、各基地局は直交ゴールド符号を使用してその伝送を拡散する。直交ゴールド符号の発生は技術的には周知である。ＷＣＤＭＡにおいては、全てのゴールド符号は同じ発生器多項式を使用して発生する。所与の基地局については、ゴールド符号の合計５１２個の可能なタイミングオフセットがある。これらのオフセットは、フレームの開始に関係して測定され、且つ、どのような中央集中化されたタイミング信号にも関係しないで測定される。タイムオフセットゴールド符号は、各１０ミリ秒フレームの終了で先端を切り落とされ、次いで各フレームの開始でオフセット点から繰り返す。
【０００９】
ＷＣＤＭＡ基地局は、２つの機能の役をする第２の同期化符号（ＳＳＣ）を伝送する。最初に、第２の同期化符号は基地局のフレームタイミングを識別するために使用される。次に、第２の同期化符号は、直交ゴールド符号オフセットを可能な５１２個のオフセットの１６個のサブセットに狭小するグループ識別（ＧＩ）を備える。提案されたＷＣＤＭＡシステムにおいては、各々１６個のゴールド符号オフセットの組に関連する３２個の異なるグループアイデンティティーがある。
【００１０】
グループ識別はＳＳＣ外部符号器２へ供給される。グループ識別は、各要素が１７個の可能な値の１つを取る３２個の可能な１６要素符号語（ｅｌｅｍｅｎｔ  ｃｏｄｅ  ｗｏｒｄ）の１つにマップされる。符号語は、どのような符号語のどのような周期的変位も合理的な符号語ではないベクトルに帰着するような、コンマのない（ｃｏｍｍａ  ｆｒｅｅ）符号として選択される。符号語の要素は、次に、符号語の各要素を２５６個のチップ数列にマップするＳＳＣ内部符号器３へ供給される。符号語の要素をマップすることができる可能な２５６個のチップＳＳＣ数列の各々は、符号語の要素を符号化するために使用されるどのような他の数列にも直交する。可能な２５６個のチップＳＳＣ数列の各々もまた、ＰＳＣによって使用される２５６個のチップ数列に直交する。１６個の２５６チップＳＳＣ数列の各々は、各フレームにおけるスロットの部分１の第１番目の２５６個のチップに穿孔されるＰＳＣ数列へ加えられる。
【００１１】
ＰＳＣ数列とＳＳＣ数列は、加算器６において合計される。それらの数列は互いに直交するので、受信器では互いに識別することができ、且つ、単一経路解析（ｓｉｎｇｌｅ  ｐａｔｈ  ａｎａｌｙｓｉｓ）において互いに干渉したりはしない。更に、放送共通データは、フレームの各スロットの部分２から５までに穿孔される。各フレームにおけるスロットの残余の１２８０個のチップ（部分６から１０までを占有する）は、基地局からの伝送を拡散するために使用される直交ゴールド符号数列の残余の未穿孔チップからなる。各スロットの中の直交ゴールド符号数列の第１番目の１２８０個のチップは、ＰＳＣ／ＳＳＣと共通放送情報によって穿孔される。
【００１２】
図３は、ＷＣＤＭＡ通信システムにおける同期化獲得の技術の現状を図示する。信号はアンテナ１０で受信されて、受信器（ＲＣＶＲ）１１へ供給される。受信器１１は受信される信号をダウンコンバートし、増幅して標本化し、且つ、第１の同期化符号（ＰＳＣ）検出器１２へ標本を供給する。ＰＳＣは、各フレームの１６個のスロットの各々の部分１において、冗長的に伝送される。ＰＳＣは誤検出を起こしがちな非常に弱い符号化を使用して非常に低いパワーで伝送される。受入れ可能なレベルまでは誤検出の確率を減少するために、現在考えられているシステムは、３つの全フレームの標本をバッファに累積する。
【００１３】
次の記述は、標本化が１×で、且つ、本当の標本のみが取られるでことを想定しているだろう。実際は、ＷＣＤＭＡシステムは、ＱＰＳＫ変調を使用するので、標本化は複雑になるだろうし、且つ、超過標本化（ｏｖｅｒｓａｍｐｌｉｎｇ）は正確な検出の見込みを増大するために望ましい。
【００１４】
スロットバッファ１４は、２５６０個の標本を保持することが可能な巡回バッファである。スロットバッファ１４の要素は、スロットタイミング獲得の開始で零に初期化される。第１番目の２５６０個の標本は、スロットバッファ１４へ直接に供給される。その後、残余の３つのフレーム期間に亘って受信される標本は、下記の方程式（１）に従ってスロットバッファ１４に蓄積される累積標本値に対応して合計器１３で合計される。
【数１】
ＡＣＣＵＭ＿ＳＡＭＰ（ｉ）＝ＡＣＣＵＭ＿ＳＡＭＰ（ｉ）
＋ＮＥＷ＿ＳＡＭＰ（ｉ＋２５６０ｎ）
ここで、ｉは、０と２５５９の間のスロットチップ番号であり、ＡＣＣＵＭ＿ＳＡＭＰ（ｉ）は、スロットバッファ１４に蓄積される第ｉ番目の値であり、ＮＥＷ＿ＳＡＭＰ（ｉ）は、受信された第ｉ番目の標本であり、且つ、ｎは、０から４７（３つの全フレームのスロットの数に相応する）までのスロット番号である。
【００１５】
信号累積の第１番目の３０ミリ秒の間、合計器１３によって出力される値がスロットバッファ１４に蓄積返されるようにスイッチ３０がセットされる。信号蓄積期間の完了で、スイッチ３０は合計器１３からの出力値を相関器（ｃｏｒｒｅｌａｔｏｒ）１５へ供給するように動作する。相関器１５の機能は、スロットバッファ１４における２５６０個の可能な位置の中のＰＳＣ数列を検出することにある。技術に習熟した人は、スロットバッファ１４が包括的なアドレス指定を全ての可能な仮説に試験させる巡回バッファであることを理解するだろう。相関器１５は、２５６個の累積される信号標本を２５６個のチップＰＳＣ数列と相関させ、且つ、結果として生じる２５６０個の計算される相関エネルギーを最大値検出器（ＭＡＸ  ＤＥＴＥＣＴ）１６へ供給する。最大値検出器１６は、蓄積された累積標本におけるＰＳＣ数列との最高の相関点を検出する。
【００１６】
スロットの中のＰＳＣを検出することによって、受信器はスロットレベルタイミング同期化を獲得し、それによって受信器はフレームの各スロットが何処で始まるかを知る。スロットタイミング情報はマルチプレクサ３１へ供給される。実際は、スロットタイミング情報は、スロットタイミング情報を使用してマルチプレクサ３１の動作を制御する制御プロセッサ（図示せず）へ供給されるだろう。
【００１７】
ＳＳＣもまた低いエネルギーで伝送され、且つ、受信される信号において充分な信頼性を獲得するために、２つの冗長的に伝送されるＳＳＣシンボルの累積を要求するだろう。各スロットについて同じ値であるＰＳＣとは違って、ＳＳＣは、各スロットにおいて１７個の可能な値の１つを取ることができる。こうして、ＳＳＣデータを累積するために、異なるフレームのスロットからの標本を累積する必要がある。フレームの第８番目のスロットにおけるＳＳＣ数列は、そのフレームでの第９番目のスロットにおけるＳＳＣ数列と同じである必要はないだろう。しかしながら、所与のフレームの第８番目のスロットにおけるＳＳＣ数列は、次のフレームの第８番目のスロットにおけるＳＳＣ数列と同じであり、且つ、意味深長に累積されることができる。
【００１８】
マルチプレクサ３１は多重のフレーム期間に亘って収集される標本を受信し、各フレーム期間は１６個の次のスロットと同時に起こる。マルチプレクサ３１は、各スロット（ＳＳＣ数列を含むスロットの部分１）の第１番目の２５６個の標本を、ＰＳＣ検出器１２と似た機能の１６個の可能なＳＳＣ内部符号検出器１８の１つへ供給する。ＳＳＣ復号化のための標本の累積の開始で、各ＳＳＣ内部符号検出器１８の中のＳＳＣバッファ２１は、全要素を零にセットすることによってクリアされる。その上、スイッチ２０は、合計器１９によって出力される値がＳＳＣバッファ２１に蓄積返されるように形成される。
【００１９】
第１番目のフレーム期間から、第１番目のスロット期間の部分１はＳＳＣ内部符号検出器１８Ａへ供給され、第２番目のスロット期間の部分１はＳＳＣ内部符号検出器１８Ｂへ供給され、そして第１６番目のスロット期間の部分１がＳＳＣ内部符号検出器１８Ｐへ供給されるまで続く。第２番目のフレーム期間の間、第１番目のスロット期間の部分１は再度ＳＳＣ内部符号検出器１８Ａへ供給され、第２番目のスロット期間の部分１はＳＳＣ内部符号検出器１８Ｂへ供給され、そして第１６番目のスロット期間の部分１がＳＳＣ内部符号検出器１８Ｐへ供給されるまで続く。この方法で、各フレームにおける１６個のスロットの各々に相応するＳＳＣ数列は、多重フレーム期間に亘って累積される。
【００２０】
ＳＳＣ標本を累積後、スイッチ２０は、蓄積された累積標本をＳＳＣバッファ２１から相関器２２へ供給するためにトグルで留める。相関器２２は、累積された標本と１７個の可能な合理的な数列（Ｃ１  ，Ｃ２  ，…，Ｃ１７）の各々間の相関エネルギーを計算し、且つ、相関エネルギーを最大値検出器（ＭＡＸ  ＤＥＴＥＣＴ）２３へ供給する。最大値検出器２３は、最高の相関エネルギーを有する合理的な数列を選択し、且つ、その数列をＳＳＣ外部復号器２４へ供給する。各ＳＳＣ内部符号検出器１８から１６個の数列推定値を受信すると、ＳＳＣ外部復号器２４は、最も見込みのある伝送される１６個の要素符号語を決定する。
【００２１】
ＳＳＣ外部復号器２４は、数列推定値を符号語要素（Ｃ１  ，Ｃ２  ，…，Ｃ１７）に変換し、その次に、結果としての符号語を全ての合理的な符号語及びこれらの合理的な符号語の全ての巡回変位バージョンと比較する。最も見込みのある伝送される符号語を選択すると、ＳＳＣ外部復号器はフレームタイミングを検出し、且つ、基地局のグループ識別（ＧＩ）を復号化してしまう。
【００２２】
この点で、標本はパイロットチャンネル獲得を許容するために蓄積され、最後の３ステップは基地局タイミングを獲得に向けられる。パイロットは、放送データ及び全てのスロットの第１番目の半分に穿孔されたＰＳＣ／ＳＳＣチャンネルデータを持つ連続的な直交ゴールド符号である。フレームタイミングの開始は、基地局によって伝送を拡散するために使用される直交ゴールド符号の獲得を行うために必要とされるメモリの量を低減するために使用される。半フレームバッファ２７は、フレームにおける各スロットの第２番目の半分のみを蓄積し、これは他の情報によって穿孔されていない部分である。半フレームバッファ２７は２０，４８０個の標本を蓄積する。
【００２３】
復号化されるグループ識別は、直交ゴールド符号発生器（ＯＧＣ  ＧＥＮ）２５へ供給される。グループ識別に応じて、直交ゴールド符号発生器２５は１６個の可能なマスク（ｍａｓｋ）の組を選択する。単一の多項式は、数列及び拡散動作を行うために使用されるその数列の１０ミリ秒の先端を切り落とされた部分を発生させるために使用される。拡散のために使用される数列の特定の部分は、技術的には周知で、且つ、“ＣＤＭＡセルラ電話システムにおける信号波形を発生させるためのシステム及び装置”と題する米国特許第５，１０３，４５９号に詳細に記述されているマスキング（ｍａｓｋｉｎｇ）動作によって選択され、それは本発明の譲受人に譲渡され、ここに参照として組入れられている。
【００２４】
発生器２５は、４０，９６０‐チップ直交ゴールド符号数列を発生させ、それは１０ミリ秒の伝送を拡散するために使用される数列であろう。発生器２５からの数列は、ゲーティング要素（ｇａｔｉｎｇ  ｅｌｅｍｅｎｔ）２６へ供給される。ゲーティング要素２６は、ＰＳＣ／ＳＳＣによって穿孔されるパイロットチャンネルの部分及びＰＥＲＣＨチャンネルの伝送における放送共通チャンネルデータに相当し、発生器２５によって出力される数列の各６２５マイクロ秒の期間の第１番目の半分をゲートから出す。
【００２５】
ゲーティング要素２６からゲートを出される数列は相関器２８へ供給される。相関器２８は、局部的に発生し且つゲートを出される直交ゴールド符号数列と半フレームバッファ２７に蓄積される標本の間の相関を計算する。各潜在的オフセット（ｐｏｔｅｎｔｉａｌ  ｏｆｆｓｅｔ）についての相関エネルギーは最大値検出器２９へ供給される。受信器は既にフレームレベルタイミングを獲得してしまっていて、且つ、直交ゴールド符号数列はフレーム境界でリセットされているので、１６個のオフセット仮定（Ｏ１  ，Ｏ２  ，…，Ｏ１６）のみが試験される必要がある。
【００２６】
１６個の可能なオフセット仮定の試験後、最大値検出器２９は最も見込みのあるオフセットを出力する。フレームタイミング情報と拡散を行うために使用されるマスクを用いて、受信器はいまや、呼出しチャンネルを受信し、且つ、伝送する基地局と双方向通信を開始することが可能である。
【００２７】
現在のＷＣＤＭＡ提案においては、ＰＳＣ、ＳＳＣ、及びパイロットオフセット復号化は、同期化が達成されるまで固定された数のフレーム期間に試行される。６つのフレーム期間が、ＰＳＣスロットタイミングを推定するために使用されている第１番目の３つのフレーム、ＳＳＣ符号語を復号化するために使用されている次の２つのフレーム、および、パイロットを復号化するために使用されている最後のフレームを用いて一度に解析される。ＰＳＣ、ＳＳＣ、及びパイロットを満足に復号化しないで、これらの６フレーム期間の１つが経過するたびに、他の６つのフレームを用いて処理が新たに開始する。ＰＳＣとＳＳＣの数列がフレームの他の部分と比較してこのような低いパワーで伝送されるので、全ての３つの型の情報が１つの組に首尾よく復号化される前に、典型的に、多くのこのようなフレーム期間の組が経過する。
【００２８】
同期化を獲得するこの方法に関する問題点は、こんな風にＷＣＤＭＡチャンネルを首尾よく獲得するために、平均５００ミリ秒かかることである。これは、現在のＣＤＭＡ無線システムにおいて、ハンドオフを首尾よく完了するのに一般的に許容される２００ミリ秒より遥かに長く、且つ、不成功のハンドオフ動作のために呼が途絶える結果になるかも知れない。それ故に、ＷＣＤＭＡ通信システムにおいて、より敏速に同期化を獲得する方法のための技術におけるある必要性が感じられる。
【００２９】
発明の概要
本発明は、ＷＣＤＭＡ通信システムにおいて、現在提案されている方法より敏速に同期化を獲得するために使用される。本発明の種々の実施形態は、同期化のために要求される時間を最小化するために、より長いＰＳＣとＳＳＣの標本累積期間、並びに、ＰＳＣ、ＳＳＣ及びパイロット情報の並列復号化を利用する。
【００３０】
前述の先行技術の方法は、標本の３つのフレーム期間に基づいてＰＳＣスロットタイミングの推定値を作り出す。もし、そのスロットタイミングの推定値が不正確であることが分れば、ＳＳＣとパイロット情報の次の復号化は失敗し、且つ、ＳＳＣ標本の収集が新たに開始するであろう。スロットタイミングの前の３‐フレーム推定値を形成するために使用された標本は、次の３‐フレームスロットタイミング推定値を形成するときに廃棄される。
【００３１】
本発明の実施形態は、数個のフレームに基づいた多分に不正確な決定を強要する代りに、より長いＰＳＣ標本累積期間を許容する。本発明の実施形態はまた、累積される標本から形成されるＰＳＣスロットタイミング推定値の有効性を評価するための試験を織り込む。更に、有効なスロットタイミング推定が達成されるまで、ＰＳＣ標本を継続的に累積する方法が含まれる。ＰＳＣ数列のみはどのスロットについてもみな同一であるので、スロット−ワイドバッファにおける標本の累積は、ＰＳＣ数列に他の累積される値の領域を上昇させる。スロットタイミングでの“最善推測（ｂｅｓｔ  ｇｕｅｓｓ）”であるスロットタイミング推定値が発生するが、それは有効性試験を合格していないので、予備のＳＳＣ標本累積のための参照として使用される。もし、この“最善推測”スロットタイミング推定値が試験に合格することによって後で有効化されるならば、その時は、累積されるＳＳＣ標本はＳＳＣ符号語の復号化に使用される。この並列標本累積は、本発明の実施形態がより短い標本累積期間後でもより信頼できるＳＳＣ符号語の復号化を完成できることを可能にする。
【００３２】
本発明の実施形態は、更に、ＳＳＣ符号とパイロットオフセットの並列処理を織り込む。ＳＳＣ復号化処理もまた有効性試験を含むが、パイロットオフセットを推定するために使用される中間の“最善推測”ＳＳＣ符号を発生させる。もし、ＳＳＣ符号の次の標本累積が“最善推測”ＳＳＣ符号の有効性を支持するならば、その時は、相応するパイロットオフセット推定値は直ちに使用されてもよい。この方法は、パイロットオフセットがＳＳＣと同時に復号化されるという理由で、並列式（ｐａｒａｌｌｅｌ）と呼ばれる。
【００３３】
本発明の種々の実施形態において、累積される標本値の並列処理は、ＷＣＤＭＡチャンネルをでより敏速な同期化をもたらす。これらの実施形態を利用して、同期化は強い受信信号レベルについては、１０又は３０ミリ秒位の短さで達成されるかも知れない。しかしながら、たとえ受信される信号が弱くても、本発明によって許容される累積標本のより効果的な使用は先行技術の手法よりもより速い同期化をもたらす。
【００３４】
本発明の特徴、目的、及び利点は、全体を通じ類似の参照文字が対応している図面と共に取り上げられるときに、下記に述べられる詳細な説明からより明白になるだろう。
【００３５】
好ましい実施形態の詳細な説明
図４は、本発明の実施形態に従う提案されたＷＣＤＭＡ  ＰＥＲＣＨチャンネル構造を使用する移動局と基地局の間のタイミングと同期化を獲得するために使用される方法のフローチャートを示す。その方法は、１つ又はより多くのスロットに亘ってダウンコンバート（ｄｏｗｎｃｏｎｖｅｒｔ）される入力信号を標本化するステップで開始する。図１の論議で記述されるように、各ＷＣＤＭＡフレームは、各スロットが２５６０個のチップ長の１６個のスロットを含む。ＰＳＣ数列は各スロットの第１番目の２５６個のチップで伝送される。
【００３６】
獲得システムを受信信号のスロットタイミングと同期化するために、第１の同期化符号（ＰＳＣ）数列は、第１の期間ｆ１  に亘って受信されるデータと相関させられる。このステップ１０２は、フレーム期間数１におけるスロットに亘って収集される標本がスロットタイミングの第１番目の推定値、ＰＳＣ１  に到着するようにＰＳＣ数列と相関させるめに使用されることを示す、式ＰＳＣ（ｆ１  ）＝＞ＰＳＣ１  を用いて示される。
【００３７】
本発明の例示的実施形態において、ＰＳＣスロットタイミング推定値は多重スロット期間に亘って標本を収集することによって形成される。これは、１つのスロット期間の間に標本化されるデータを保持するのに十分な大きさのスロット標本バッファを使用し、且つ、その次に、次のスロット期間に亘って収集される次の標本を加えることによって成し遂げられる。例えば、もし、受信される信号が半チップ間隔で標本化されるならば、５１２０個の標本貯蔵棚（ｂｉｎｓ）を持つスロット標本バッファは、ＰＳＣスロットタイミング推定を行うために使用されるだろう。５１２０個の標本貯蔵棚の各々に、推定されている第１番目のスロット期間の間に５１２０個の標本を蓄積後、第２番目のスロット期間に亘って収集される各標本は、相応する貯蔵棚に加えられる。この方法で、ＢＩＮ１  は、標本の合計Ｓ１  ＋Ｓ５１２１＋Ｓ１０２４１  、を含み、以後そのように続くであろう。ＰＳＣ数列は一定で、且つ、各スロットにおける同じ場所に伝送されるので、この“軟結合する（ｓｏｆｔ  ｃｏｍｂｉｎｉｎｇ）”累積方法は、単一のスロット期間に亘って可能であるよりも、より良い推定値を生じる結果となる。
【００３８】
好ましい実施形態においては、受信される標本とＰＳＣ数列の間の相関は、ディジタル整合フィルタ（ｄｉｇｉｔａｌ  ｍａｔｃｈｅｄ  ｆｉｌｔｅｒ）を使用して測定される。例えば、１６個の連続したスロット期間の間に受信される標本が、５１２０個の半チップ標本貯蔵棚に累積されるならば、ＰＳＣディジタル整合フィルタは、５１２０個の可能な５１２‐貯蔵棚のグループ分けの各々を用いて、５１２‐標本ＰＳＣ数列の相関を測定するために使用される。５１２０‐貯蔵棚スロット標本バッファは、スロット期間の中の全ての可能なオフセットで、包括的なアドレス指定にディジタル整合フィルタ相関エネルギーを発生させる巡回バッフアとして実施される。例えば、５１００のオフセットで５１２‐貯蔵棚の期間を作り出すために、整合フィルタは、貯蔵棚１から４９１までによって追従された、貯蔵棚番号５１００から５１２０までと相関させられるだろう。
【００３９】
本発明は、ここでディジタル整合フィルタを使用するように記述されているが、技術的に習熟した人は、アナログ整合フィルタ又は多重集積回路（ｍｕｌｔｉｐｌｙ‐ａｎｄ‐ｉｎｔｅｇｒａｔｅ  ｃｉｒｃｕｉｔ）のような他の相関の形式もまた、本発明から逸脱することなく使用されることができることを正しく認識するだろう。
【００４０】
本発明の好ましい実施形態においては、標本化ステップは技術的に周知のように、複雑な標本化を伴う。本当の標本化を含むがそれには限定されない標本化の他の形式もまた、本発明から逸脱することなく使用されることができるだろう。
【００４１】
本発明の好ましい実施形態においては、標本は半チップ間隔で収集される。受信される２５６‐チップＰＳＣ数列は、それ故に、５１２個の標本間隔の中で表されるだろう。複雑な標本を使用する際に、受信される標本ストリーム（ｓａｍｐｌｅ  ｃｔｒｅａｍ）は、１０２４個の標本、５１２個の同位相（Ｉ）標本、および５１２個の直交位相（Ｑ）標本に亘る相関について評価されるだろう。
【００４２】
本発明の好ましい実施形態においては、その間データが累積され、且つ、ＰＳＣ同期化のために使用される第１番目の期間ｆ１  は、全フレームの期間（１６スロット）である。しかしながら、第１番目の期間ｆ１  は、本発明から逸脱することなく、１６より少ない個数のスロット又は１６の任意の倍数個のスロットを含む、どのような個数のスロット期間でもあることができる。
【００４３】
ステップ１０４は、ステップ１０２の次にくる第２番目の期間ｆ２  の間に受信される標本で行われる処理を示す。ステップ１０４において、推定値ＰＳＣ１  からのスロットタイミングは、式“ＳＳＣ（ｆ２  ，ＰＳＣ１  ）＝＞ＳＳＣ１  ”によって示されるように、第２の同期化符号（ＳＳＣ）情報を復号化するために使用される。ＳＳＣ符号語の復号化は、各スロットに存在するＳＳＣシンボルの復号化と、その次に、発生するＳＳＣシンボルからのＳＳＣ符号語の復号化からなる２段階処理（ｔｗｏ‐ｓｔａｇｅ  ｐｒｏｃｅｓｓ）である。
【００４４】
ＳＳＣシンボルの復号化の第１番目の段階は、利用可能なスロットタイミング推定値が正しいという想定に基づいて行われる。ＷＣＤＭＡシステムについての本発明の例示的実施形態においては、スロットタイミング推定値ＰＳＣ１  は、全てのフレームにおける１６個のスロットの各々の第１番目の２５６個のチップの位置を確立するために使用される。期間ｆ２  に亘って、１６個の２５６‐チップ期間の各々についての標本は、ＳＳＣ標本累積バッファに累積される。本発明の例示的実施形態においては、期間ｆ２  は長さでフレーム期間の整数倍である。ＷＣＤＭＡの場合においては、１６個の２５６‐チップバッファは、１６個の区分（ｓｅｃｔｉｏｎ）に分割される単一の４０９５‐チップバッファとして実施されてもよい。各バッファ又はバッファ区分において累積される標本値は、そこで、可能な伝送されるＳＳＣ符号シンボルに対して整合される。ＷＣＤＭＡの場合においては、１７個の異なる可能な２５６‐チップＳＳＣ符号シンボルがある。各スロットにおけるＳＳＣシンボルについて、相応するＳＳＣ標本累積バッファにおける値と最高の度合の相関性を持つＳＳＣシンボル数列は、最も見込みのあるＳＳＣ符号シンボルとして選択される。
【００４５】
ＳＳＣ復号化の第２番目の段階は、推定されるＳＳＣ符号シンボルからのＳＳＣ符号語を識別している。ＷＣＤＭＡにおいては、ＳＳＣ符号語はリード‐ソロモン（Ｒｅｅｄ‐Ｓｏｌｏｍｏｎ）ブロック符号のコンマのないサブセット（ｓｕｂｓｅｔ）から選択される。１６個の選択されるＳＳＣ符号シンボルは、リード‐ソロモン符号語に分解され、その符号語は次に、許されたコンマのないサブセットの１つと等しくするために必要なようにシフトされる。必要な数のシフトは、（スロットが第１番目に来る）フレームタイミングを識別するために使用され、且つ、識別されるＳＳＣ符号語はグループ識別（ＧＩ）を識別する。
【００４６】
本発明の好ましい実施形態においては、第２番目の期間ｆ２  の間に受信されるＰＳＣ標本値は、第１番目の期間ｆ１  の間に受信される蓄積標本を既に含むスロット標本バッファに累積される。これは、ステップ１０４の間に、式“ＰＳＣ（ｆ２  ，ｆ１  ）＝＞ＰＳＣ２  ”によって示されるように、ＰＳＣ２  は期間ｆ１  とｆ２  の両方に亘って収集される標本から導き出されることを意味する。代りの実施形態においては、ＰＳＣ２  が期間ｆ２  からの標本を使用して形成されるように、スロット標本バッファは期間ｆ２  の開始の時点でクリアされる。
【００４７】
ステップ１０４の完了後、ＰＳＣ１  はステップ１０６において新しい推定値ＰＳＣ２  と比較される。もし、ＰＳＣ１  がＰＳＣ２  と等しいならば、その時、ＰＳＣ１  はスロットタイミングへの使用に有効であると考えられる。もし、ＰＳＣ１  がステップ１０６においてまだ有効であるとは考えられないならば、その時は、ＰＳＣ１  においてスロットタイミングに基づいて発生したＳＳＣ１  は疑わしく、且つ、まだフレームタイミング推定のためには使用されない。
【００４８】
もし、ＰＳＣ１  が疑わしい（ＰＳＣ２  と等しくない）ことが決定されるならば、ステップ１０８が行われ、そこでは第３番目の期間ｆ３  からのデータが受信されるデータを推定するために使用される。このステップにおいて、式“ＳＳＣ（ｆ３  ，ＰＳＣ２  ）＝＞ＳＳＣ２  ”によって示されるように、第３番目の期間ｆ３  の間に受信されるデータは、ＳＳＣ符号語の第２番目の推定値、ＳＳＣ２  を形成するために使用される。更に、ステップ１０８の間に、ＰＳＣ３  を発生させるために、第３番目の期間ｆ３  において受信されるデータに基づいて、スロットタイミングの追加の推定がなされる。ステップ１０４におけるように、前の推定値ＰＳＣ２  を発生させるために使用される累積標本は、ＰＳＣ３  の発生に利用される。再度、代りの実施形態は、期間ｆ３  のみの間に受信される標本に基づいてＰＳＣ３  を作り出す。
【００４９】
技術的に習熟した人は、有効性試験によって要求される連続する不変のＰＳＣ推定値の数が、創意に富む能力を使用しなくても、記述された２つ以上あるかも知れないことを正しく認識するだろう。例えば、ＳＳＣスロットタイミング推定値が有効であると考えられる前に、列内の３個又は４個の同一のＳＳＣスロットタイミング推定値が要求されるかも知れない。
【００５０】
更に、パイロットチャンネルデータは、パイロットオフセット推定値ＰＩＬＯＴ１  を形成するために、フレームタイミングとＳＳＣ１  から供給されるグループ識別に基づいて期間ｆ３  の間に受信されるデータから復号化される。パイロットチャンネルオフセットの決定の際には、受信される標本はＳＳＣ１  と関連するグループ識別（ＧＩ）によって特定される１６個のパイロットオフセットに対して相関させられるのみである。
【００５１】
ステップ１１０では、ＰＳＣ１  は新しい推定値ＰＳＣ３  と比較される。もし、ＰＳＣ１  がＰＳＣ３  と等しいならば、その時は、ＰＳＣ１  はスロットタイミングにおける使用に有効であると考えられる。もし、ＰＳＣ１  が有効であると考えられるならば、その時は、そのスロットタイミングがＰＳＣ１  に基づいたＳＳＣ１  は評価され、且つ、ステップ１１２において有効性について試験される。例示的実施形態においては、ステップ１１２におけるＳＳＣ有効性確認は、ＳＳＣ１  の形成の間に検出されるＳＳＣシンボル誤り（ＳＳＣ  ｓｙｍｂｏｌ  ｅｒｒｏｒ）の数に基づく。これらのシンボル誤りは、ＳＳＣ復号化の第１番目の段階の間に復号化され、第２番目の段階において復号化される最近のＳＳＣ符号語のシンボルと一致しないシンボルの数を計数することによって測定される。もし、このシンボル不一致の数（ハミング（Ｈａｍｍｉｎｇ）距離とも呼ばれる）が、事前決定される値よりも大きいならば、ＳＳＣ１  は無効と考えられる。本発明の他の実施形態においては、ステップ１１２は、ＳＳＣ復号化の信頼性水準が有効性について要求される水準まで上昇するかどうかを決定するためにハミング距離と復号化ＳＳＣシンボルの相関エネルギーの組合せを使用する。もし、ＳＳＣ１  がステップ１１２において有効と考えられるならば、その時は、ＰＩＬＯＴ１  はステップ１１４においてパイロットオフセットの推定値として使用される。
【００５２】
本発明の代りの実施形態においては、ＳＳＣ推定と共に受信される許し得るシンボル誤りの数には最大値は置かれない。受信されるＳＳＣ符号語の最良の推定値が直ちに使用され、且つ、ステップ１１２とステップ１２８は省略される。
【００５３】
本発明の好ましい実施形態においては、各復号化されたＳＳＣシンボルのために相関力距離が発生する。この相関力距離は推定される伝送されたシンボル値と受信される信号の間の相関の度合の尺度であり、且つ、前述の２段階ＳＳＣ復号化方法の第１番目の段階の間に発生される。推定される受信されたシンボルにそった相関力距離は、受信されるＳＳＣ符号語を決定するためにチェースアルゴリズム（Ｃｈａｓｅ  ａｌｇｏｒｉｔｈｍ）の入力として使用される。チェースアルゴリズムは、ブロック符号の“軟決定（ｓｏｆｔ  ｄｅｃｉｓｉｏｎ）”復号化を行う改良された方法であって、且つ、“ＩＥＥＥ情報理論上のトランザクション、ＩＴ‐１８巻、第１号、１９７２年１月”におけるＤａｖｉｄ  Ｃｈａｓｅ氏による文献に記述されていた。チェースアルゴリズムの使用は、付加の白色ガウス（ａｄｄｉｔｉｖｅ  ｗｈｉｔｅ  Ｇａｕｓｓｉａｎ）（ＡＷＧＮ）チャンネルについては２デシベル、且つ、フェージングチャンネルについては６乃至８デシベルと同程度のＳＳＣ復号化精度に改良を与える。
【００５４】
もし、ＰＳＣ１  がステップ１１０で無効と考えられるならば、その時は、ＰＳＣ２  はステップ１１６において新しい推定値ＰＳＣ３  と比較される。もし、ＰＳＣ２  がＰＳＣ３  と等しくないならば、その時は、ＰＳＣ２  は無効か又はスロットタイミングについて疑わしいと考えられる。本発明の好ましい実施形態においては、もし、期間ｆ１  、ｆ２  、およびｆ３  に亘って収集される標本が、ステップ１１６でＰＳＣスロット標本バッファに累積されてしまっているが、良いスロットタイミング推定値がまだ得られていないならば、処理はステップ１１８でリセットし、且つ、最初からやり直してステップ１０２へ戻る。
【００５５】
もし、ステップ１１６で、ＰＳＣ２  がＰＳＣ３  と等しいならば、その時は、ＰＳＣ２  はスロットタイミングについて有効と考えられる。もし、ＰＳＣ２  が有効と考えられるならば、その時は、ＰＳＣ２  のそのスロットタイミングに基づいたＳＳＣ２  はステップ１２２において評価される。本発明の好ましい実施形態においては、ステップ１２２はステップ１１２と同じＳＳＣ評価方法を使用する。もし、ＳＳＣ２  がステップ１２２において有効と考えられるならば、その時は、ＳＳＣ２  は、ステップ１２４において第４番目の期間ｆ４  の間に受信されるデータからのパイロットチャンネルデータを復号化するために使用される。ステップ１２４において復号化されるＰＩＬＯＴ２  データは、ステップ１２６において使用するために利用可能にされる。
【００５６】
もし、ステップ１０６でのＰＳＣ１  の有効性の評価後、ＰＳＣ１  が有効であると決定されるならば、その時は、ＳＳＣ１  はステップ１２８において有効性について評価される。本発明の好ましい実施形態においては、ステップ１２８はステップ１１２と同様なＳＳＣ評価方法を使用する。
【００５７】
もし、ＳＳＣ１  がステップ１２８の間に無効と考えられるならば、その時は、第３番目の期間ｆ３  の間に受信されるデータは、ステップ１２０において他のＳＳＣ推定値、ＳＳＣ２  を発生させるために使用される。ステップ１２０は、図においては、ＳＳＣ２  を発生させるためにＰＳＣ２  を使用するように示されているが、ＰＳＣ１  は、ステップ１２０において同様な結果を得るために使用されることができる。ステップ１２０後は、結果として生じるＳＳＣ２  は既に前述されているステップ１２２において評価される。
【００５８】
もし、ステップ１２８において、ＳＳＣ１  がフレームタイミングにおける使用に有効と考えられるならば、その時は、ＳＳＣ１  は第３番目の期間ｆ３  の間に受信されるデータを用いて、ステップ１３０においてパイロット情報を復号化するために使用される。ステップ１３０の結果は、ステップ１３２において後にシステムによる使用のために利用可能にされるＰＩＬＯＴ１  である。期間ｆ３  は長さで１つ又はそれより多いフレームである。
【００５９】
ステップ１０８と１２０においては、本発明の代りの実施形態は、ＳＳＣ２  を発生させる際に、期間ｆ２  とｆ３  の間に収集されるシンボル推定値を加える。換言すれば、ＳＳＣ１  は推定値ＳＳＣ２  を強化するために使用される。
【００６０】
本発明の他の代りの実施形態においては、ステップ１０６、１１０、および１１６におけるＰＳＣスロットタイミング推定値の有効性の評価は、ＰＳＣ推定値を発生させるために使用される整合フィルタ作用からの結果による相関の度合を評価することによって行われる。例えば、半チップ標本が使用されるときは、各スロット期間は、５１２０個の標本貯蔵棚に累積されている５１２０個の標本を含む。ＰＳＣ数列は、５１２０個の可能なオフセットの各々で、５１２０個の相関エネルギーの組を生じるために相関させられる。最高の相関エネルギーはＰＳＣ最良推定エネルギーであり、且つ、その相関エネルギーに相応するスロットタイミングオフセットはＰＳＣ最良推定オフセットである。ＳＳＣ復号化について有効な基準を考えるために、ＰＳＣ最善推定エネルギーは、残余の５１１９個の相関エネルギーの次位最高のものと比較される。付加のスロットの標本が累積バッファに累積されるので、ＰＳＣ最良推定エネルギーは全ての他の相関エネルギーを超えて更に、更に上昇する。本発明の一実施形態においては、もし、ＰＳＣ最良推定エネルギーが事前決定される閾値増倍器によって次位最高の相関エネルギーを、例えば６デシベル超過するのみならば、ＰＳＣ最良オフセットは信頼できると考えられる。
【００６１】
受信されるＰＳＣ符号のタイミングは、結果として２つ又は３つの隣接するオフセットに高い相関エネルギーをもたらすようなことになるかも知れない。この可能性を認識して、本発明の代りの実施形態は、ＰＳＣ最良推定エネルギーのみを、ＰＳＣ最良推定オフセットに直接には隣接していないオフセットと比較する。この方法の例示的実施においては、４つの最高相関エネルギーとそれらのオフセットは、全てのオフセットがＰＳＣ数列と相関させられるように蓄えられ、且つ、ＰＳＣ最良推定エネルギーは、隣接するオフセットには属しない次位最高の相関エネルギーと比較される。
【００６２】
本発明の他の代りの実施形態は、２３０４個の零のチップによって追従されるＰＳＣ数列の自動相関機能が識別可能なエンベロープ（ｉｄｅｎｔｉｆｉａｂｌｅ  ｅｎｖｅｌｏｐｅ）をもつところでは有用である。この実施形態においては、全てのフセットの相関エネルギーは相関エネルギーバッファに蓄積される。半チップ標本化を使用する例示的実施においては、相関エネルギーバッファは５１２０個の相関エネルギーを保持するだろう。相関エネルギーの組は、そこで、２３０４個の零のチップによって追従されるＰＳＣ数列の自動相関機能と整合される。この自動相関機能に最も接近した輪郭を持つオフセットが、ＰＳＣ最良推定オフセットである。
【００６３】
図５は、本発明の実施形態に従う、提案されたＷＣＤＭＡ  ＰＥＲＣＨチャンネル構造を使用して移動局と基地局の間のタイミングと同期化を獲得する他の方法のフローチャートを示す。その方法はＰＳＣとＳＳＣ標本を累積するために使用される標本累積バッファをクリアするステップ１５０で開始し、各バッファの各貯蔵棚を零にセットする。後で受信される標本は既に貯蔵棚にある値に加えられる。ＰＳＣ標本累積バッファは、２５６０個のチップの全スロット期間を累積するために十分な標本を蓄積する。ＳＳＣ標本累積バッファは１６個の連続したスロットの第１番目の２５６個のチップを累積するために十分な標本を蓄積する。ＳＳＣ標本累積バッファは、それ故、４０９６個のチップ分の標本を蓄積するために十分な貯蔵棚を持つ。
【００６４】
ＰＳＣとＳＳＣバッファがステップ１５０においてクリアされた後、標本の第１番目の組が受信され、且つ、ステップ１５２においてＰＳＣ標本累積バッファに累積される。本発明の好ましい実施形態においては、全フレーム（１６スロット）の標本がＰＳＣバッファに累積される。ステップ１５２における標本累積は、前述したようにステップ１０２において行われる。ＰＳＣ数列は、その次に、ステップ１５４においてスロットタイミング推定値ＰＳＣ１を発生させるために、ＰＳＣバッファの内容に対して相関させられる。ＰＳＣバッファにおける値へのＰＳＣ数列の相関は、前述のどのような方法においてでもなされる。
【００６５】
ステップ１５６において、スロットタイミング推定値ＰＳＣ１は、ＳＳＣ標本累積バッファに標本を累積するために使用される。前述したように、各標本は、そのスロットの中のそのタイムオフセットに従い、ＰＳＣバッファ貯蔵棚に累積される。しかしながら、全ての標本がＳＳＣバッファに累積されるのではない。推定値ＰＳＣ１からのスロットタイミングに基づいて、各スロットの第１番目の２５６個のチップの間に収集される標本のみがＳＳＣバッファに蓄えられる。伝送されるＳＳＣシンボルはスロットからスロットへ異なるので、ＳＳＣバッファの標本貯蔵棚は、１６個の２５６‐チップ領域に切断され、そこには収集された標本が累積される。もし、ＰＳＣ１によって供給されるスロットタイミングが正確であるならば、各２５６‐チップ領域は１つのスロットのＳＳＣシンボル期間のために累積される標本を含むだろう。ＳＳＣバッファ内容の値は、ＰＳＣ１の正確度に依存しているという理由で、且つ、計算の資源を保存するために、ＳＳＣバッファ内容のＳＳＣ復号化は、ＰＳＣ１が有効であると示されるまで、遅延されるか延期されるかも知れない。
【００６６】
ステップ１５６においてＳＳＣ標本が累積されると同時に、標本はまたＰＳＣ標本累積バッファに累積される。ステップ１６０において、ＰＳＣバッファの内容は再度ＰＳＣ数列への相関のために解析され、結果としてスロットタイミング推定値ＰＳＣ２を生じる。この方法で、ステップ１５２と１５６において、ＰＳＣ２が累積される全ての標本から発生する。ステップ１６４では、スロット推定値ＰＳＣ１がスロット推定値ＰＳＣ２と比較される。もし、その２つの推定値が等しくないならば、その時は、ＰＳＣ１は不正確であると想定される。ＰＳＣ１を使用して発生するＳＳＣ推定値は、ステップ１６２において、ＳＳＣ標本累積バッファの内容を零にセットすることによって廃棄される。ステップ１５８において、スロットタイミング推定値ＰＳＣ１はＰＳＣ２等しくなるように更新され、且つ、ステップ１５６から処理が継続する。次のＳＳＣ推定値は新しいスロットタイミング推定値からのスロットタイミングに従い発生するだろう。
【００６７】
僅かな発振器のドリフトがＳＳＣ累積を完全に無効にすることなしにＰＳＣ推定値を僅かに変化させるかも知れないことを認識して、本発明の代りの実施形態は、もし、ＰＳＣ推定値がステップ１６４でチップによるか、又はより少なく変化するならば、ＳＳＣの累積を継続する。本発明の好ましい実施形態においては、標本化は半チップ間隔で行われる。このような実施においては、ＰＳＣ標本累積バッファは５１２０個の標本貯蔵棚を持ち、且つ、ＳＳＣ累積バッファは８１９２個の標本貯蔵所を持つ。ステップ１６４において、もし、ＰＳＣ１が半チップ（１つの標本貯蔵棚）のみだけＰＳＣ２と異なっているならば、その時は、ステップ１６２は飛び越され、且つ、ステップ１５８がステップ１６４の後に直ちに実行される。換言すれば、ＳＳＣバッファはクリアされないが、スロットタイミング指標は、ＳＳＣ標本累積に使用されるために更新される。
【００６８】
その上、ステップ１６４で、ＰＳＣ標本累積バッファに累積されてしまっているフレームの数が評価される。もし、事前決定されるフレームの数、例えば１０個が、ＰＳＣスロットタイミング推定値において見かけ上安定しないで経過してしまうならば、ＰＳＣ標本累積バッファはクリアされ（零で満たされる）、且つ、ステップ１５２で、処理は随意に継続するか、又は打ち切る。
【００６９】
ＰＳＣ１とＰＳＣ２の有効性は、ステップ１０６、１１０、および１１６と共に、前述の方法の１つを使用して更に評価される。本発明の一実施形態においては、ステップ１６０はＰＳＣ２と同様に、第２位最高の相関エネルギーを蓄えることを含む。ステップ１１６で、ＰＳＣ２は、他のオフセットの相関エネルギーと比較することによって有効性について評価される。ＰＳＣスロットタイミング推定値は、もし、その相関エネルギーが、全ての他のオフセットの相関を事前決定される量、例えば６デシベルだけ超過するのみならば、有効と考えられる。
【００７０】
本発明の他の実施形態においては、ステップ１６０はそれらのオフセットと同様に４個の最高の相関エネルギーを貯えることを含む。ステップ１６６では、ＰＳＣスロットタイミング推定値は、もし、その相関エネルギーが、全ての他の非隣接オフセットの相関を事前決定される量、例えば６デシベルだけ超過するのみならば、有効と考えられる。
【００７１】
本発明の他の代りの実施形態においては、全てのオフセットにについての相関エネルギーは、ステップ１６０で相関エネルギーバッファに蓄積される。ステップ１６６で、ＰＳＣスロットタイミング推定値は、もし、そのオフセットで評価された相関エネルギーバッファに蓄積される値が、２３０４個の零のチップによって追従されるＰＳＣ数列の自動相関機能に最も接近して整合するのみならば、有効と考えられる。
【００７２】
ＰＳＣスロットタイミング推定値を使用して蓄積されるＳＳＣ標本は、もし、ＰＳＣスロットタイミング推定値が有効と考えられないならば復号化されない。もし、ステップ１６６で、ＰＳＣ２が無効と考えられるならば、その時は、処理はステップ１５６から継続し、そのためＰＳＣ推定値は更なる標本累積によって強化されることができる。もし、ステップ１６６で、ＰＳＣ２が有効と考えられるならば、その時は、ＳＳＣとパイロット情報の復号化がステップ１６８において継続する。
【００７３】
本発明の一実施形態においては、ＳＳＣ符号語は前述したチェースアルゴリズムを使用して、ステップ１６８において復号化される。ＳＳＣ符号語が復号化される第１番目の時は、それにはそれを有効と呼ぶに十分な度合の信頼性はないかも知れない。ＳＳＣ符号語が復号化され、且つ有効性確認されるまで、次の標本はＳＳＣ標本バッファに累積される。ＳＳＣ符号語が後で有効であると判った場合、パイロットオフセットは、付加のＳＳＣ標本が累積されているのと同時に、ＳＳＣ情報の最善推測に基づいて推定される。
【００７４】
有効なＳＳＣ符号語がステップ１６８において復号化されてしまった後、ステップ１６８において発生するパイロットオフセットはステップ１７０において評価される。もし、パイロットオフセットが結局は有効であると判ったＳＳＣ符号語に基づいて発生するとすれば、その時は、ステップ１６８において測定されるパイロットオフセットはステップ１７４において使用される。もし、復号化されるＳＳＣ符号語がステップ１７０で利用可能なパイロットオフセットを発生させるために使用されなかったとすれば、その時は、パイロットオフセットは有効なＳＳＣ符号語に基づいてステップ１７２において復号化される。パイロットオフセットはステップ１７２において復号化された後は、ステップ１７４における使用の準備ができる。
【００７５】
本発明の他の実施形態においては、フレーム標本累積バッファ（全フレームに亘って累積される標本を保持するのに十分に大きい）は、ＰＳＣ、ＳＳＣとパイロット情報の復号化のために使用される。標本は、ＰＳＣ、ＳＳＣ、およびパイロットが高い信頼性で復号化されてもよいように、十分なフレーム期間に亘って累積される。一旦、スロットタイミングが確立すると、バッファは１６個のスロットに編成されてもよい。各バッファスロットの第１番目の２５６個のチップに蓄積される標本は、直ちにＳＳＣ符号語に復号化するために解析される。一旦、ＳＳＣ符号語が復号化されてしまうと、パイロットオフセットは、各バッファスロットの最後の１２８０個のチップから復号化される。付加のフレーム期間からの標本は、有効なＰＳＣ、ＳＳＣ、およびパイロット情報を発生させるために必要なようにバッファに蓄積されてもよい。ＰＳＣ相関と自動相関、ＳＳＣシンボル相関エネルギー測定、およびＳＳＣの復号化のためのチェースアルゴリズムを含む、前述したＰＳＣとＳＳＣの復号化手法は、このフレーム累積方法に等しく適用可能である。この方法は、むしろかなり大きな標本累積バッファ（もし、半チップ標本が使用されるならば、８１，９２０個の貯蔵棚）を要求するが、少ない数フレーム（理論的には、１０ミリ秒位の少ない）におけるＰＳＣ、ＳＳＣとパイロット情報の復号化を許容する。
【００７６】
代りの実施形態においては、パイロット符号を含むフレーム期間に各スロットの部分のための標本を累積するに十分な大きさのパイロット標本累積バッファは、パイロット情報を復号化するために使用される。ＷＣＤＭＡの場合においては、パイロット標本累積バッファは１２８０個のチップの１６個の区域に分割される。このバッファにおける標本累積は、ＰＳＣスロットタイミング推定値が発生するとすぐに開始してもよい。もし、パイロット標本累積のために使用されるＰＳＣスロットタイミング推定値が変化するならば、パイロット標本累積バッファはクリアされ、且つ、パイロット標本累積は新しいＰＳＣスロットタイミング推定に基づいて再開する。または、代りの実施形態においては、もし、ＰＳＣ推定が１つ以上の標本オフセットだけ変化するならば、パイロット標本累積バッファはクリアされるのみである。一旦、ＳＳＣ符号語が首尾よく復号化され、それ故、フレームタイミングおよびグループ識別を識別すると、パイロット標本累積バッファにおける区分は、ＳＳＣのグループ識別によって示されるゴールド符号オフセットと直ちに相関させられる。更なる標本期間が、ＳＳＣ符号語を復号化するために要求されるもの以上に必要とされるようなことはない。
【００７７】
図６は、本発明の実施形態に従い構成された受信器の高レベルのブロック図を示す。描かれた装置は初期のＰＳＣとＳＳＣの推定値の潜在的正確さに基づいて受信される標本の並列処理を許容する。第１の同期化符号（ＰＳＣ）、第２の同期化符号（ＳＳＣ）、およびパイロット情報を運ぶ信号はアンテナ２０２で受信され、受信器  （ＲＣＶＲ）２０４においてダウンコンバートされ、複合ＰＮ逆拡散され、且つ、複合標本化される。結果としての複合標本のストリームは、ＰＳＣ検出器２０６、ＳＳＣ検出器２０８、およびパイロット検出器２１０へ送出される。ＰＳＣ検出器２０６、ＳＳＣ検出器２０８、およびパイロット検出器２１０はまた制御プロセッセ２１２へ作動的に結合される。
【００７８】
制御プロセッセ２１２はＰＳＣ検出器２０６、ＳＳＣ検出器２０８、およびパイロット検出器２１０へ制御信号を送出し、パイロット信号の捜索を開始するか、又は進行中の捜索を中止するかを、それらに命令する。
【００７９】
ＰＳＣ検出器２０６は、スロットタイミングの推定値を発生させる数個のスロット期間に亘って、受信器２０２から受信された標本を評価する。ＰＳＣ検出器２０６によって行われる動作はステップ１０２、１０４、および１０８と共に前述したように、ＰＳＣスロットタイミング推定値を発生させるために使用される動作と同様である。ＰＳＣ検出器２０６は、示された接続を通じてＰＳＣスロットタイミング推定値をＳＳＣ検出器２０８に供給する。
【００８０】
ＰＳＣ検出器２０６が付加のスロットタイミング推定値を発生すると同時に、ＳＳＣ検出器２０８は、受信器２０４によって供給される次の標本からのＳＳＣ符号語を復号化するために、ＰＳＣ検出器２０６によって既に発生したスロットタイミング推定値を使用する。ＳＳＣ検出器２０８によって行われる動作はステップ１０４、１０８、および１２０と共に前述したＳＳＣ動作と同様である。ＳＳＣ検出器２０８は示された接続を通じてフレームタイミング推定値をパイロット検出器２１０へ供給する。
【００８１】
ＳＳＣ検出器が次のＳＳＣ標本の復号化を継続すると同時に、パイロット検出器２１０は、受信器２０４によって供給される次の標本を使用してパイロットチャンネルオフセットを推定するために、フレームタイミングとＳＳＣ検出器２０８によって供給されるグループ識別情報を使用する。パイロット検出器２１０によって行われる動作は、ステップ１０８、１２４、および１３０と共に前述したパイロットオフセット決定動作と同様である。
【００８２】
図７は、ＰＳＣ検出器２０６の好ましい実施形態の詳細なブロック図である。本発明の例示的実施形態において、スロット標本累積器３０４は、単一のスロット期間における各標本位置に対して１つの標本貯蔵棚を持つ先入れ先出し（ＦＩＦＯ）バッファとして実施される。例えば、半チップ標本は５１２０‐標本スロットバッファを要求するだろう。チャンネル獲得の初めに、スロット標本累積器３０４は、制御プロセッサ２１２からの命令又は信号を受信してクリアされる。その後、標本がスロットオフセットと共に合計ブロック３０２で受信される度に、蓄積器３０４から取り出されたそのスロットオフセットに対する値に加えられる。結果として生じる合計は、蓄積３０４の中のそのオフセットに関連する標本貯蔵棚に蓄積される。合計ブロック３０２Ａと累積器３０４Ａは同位相（Ｉ）標本を受信し、且つ、累積器３０４Ａの標本貯蔵棚にＩ値を累積する。合計ブロック３０２Ｂと累積器３０４Ｂは直交位相（Ｑ）標本を受信し、且つ、累積器３０４Ｂの標本貯蔵棚にＱ値を累積する。
【００８３】
全フレーム期間に亘って標本を累積する本発明の実施形態においては、標本累積器３０４は全フレーム期間における標本の数を累積するに十分な大きさである。半チップ標本の場合においては、これはスロット標本累積器３０４が各々８１，９２０個の貯蔵棚を持つことを意味する。
【００８４】
数個のスロット期間に亘り標本を累積後、整合フィルタ３１０は累積３０４からの標本貯蔵棚値を供給され、且つ、標本貯蔵棚領域全体に亘ってＰＳＣ数列相関を測定する。本発明の好ましい実施形態においては、標本は多重のフレーム期間（ＷＣＤＭＡの場合においては、各々１６個のスロット）に亘って累積される。整合フィルタ３１０は、各可能なスロットタイミングオフセットに対する実数と虚数の相関エネルギー値を測定する。半チップ標本がＷＣＤＭＡシステムにおいて使用される場合においては、これは５１２０個の実数と５１２０個の虚数の相関エネルギー値を生じる結果になるだろう。ステップ１０２について述べたように、標本貯蔵棚は、バッファの終端に近接したオフセットを評価するときには、巡回、即ちラップ・アラウンドバッファとして使用される。例えば、５１００のオフセットを用いて５１２‐標本期間を作り出すために、１から４９１までの貯蔵棚によって追従される、貯蔵棚番号５１００から５１２０までからの値は、ディジタル整合フィルタ３１０への入力として使用されるだろう。
【００８５】
整合フィルタ３１０によって発生する各スロットオフセットに対する実数と虚数の相関エネルギーは、複体対スカラー変換器（ｃｏｍｐｌｅｘ‐ｔｏ‐ｓｃａｌａｒ  ｃｏｎｖｅｒｔｅｒ）ブロック３１２に供給される。図に示されるように、変換器ブロック３１２は、各オフセットについて実数と虚数の成分を取り、且つ、方程式（２）に従いそれらを結合させる。
【数２】
ｒ＝（ｘｒ  ２  ＋ｘｉ  ２  ）１／２
ここで、ｘｒ  はスロットオフセットについての相関エネルギーの実数成分であり、ｘｉ  はスロットオフセットについての相関エネルギーの虚数成分であり、また、ｒはスロットオフセットについての相関エネルギーベクトルのスカラーの大きさである。
【００８６】
複体対スカラー変換器ブロック３１２によって発生するスカラー相関エネルギー値の組は、最大の相関でオフセットを選択することによって、最も見込みのあるＰＳＣスロット境界オフセットを識別するスロットタイミング決定モジュール３１４へ供給される。ＰＳＣの有効性の決定は、ステップ１０６、１１０、および１１６について前に述べた方法を使用してなされてもよい。スロットタイミング決定モジュール３１４は、ＳＳＣ検出器２０８へ供給されるスロットタイミング信号を発生させる。
【００８７】
前述したように、相関エネルギーの完全な組をＰＳＣ数列の自動相関エンベロープと比較する本発明の実施形態においては、スロットタイミング決定モジュール３１４は、スロット標本累積器３０４と同じ数の貯蔵棚を持つ相関エネルギーバッファを含む。
【００８８】
図８はＳＳＣ検出器２０８の好ましい実施形態の詳細なブロック図である。受信器２０４からのＩとＱの標本は、ＰＳＣ検出器２０６によって供給されるスロットタイミング信号と一緒にＳＳＣ標本バッファ２０４によって受信される。ＳＳＣ標本バッファ４０２はＳＳＣシンボルを含むと期待されるスロット当り１つのシンボルのための標本を収集する。ＷＣＤＭＡにおいては、例えば、ＳＳＣシンボルは第１番目の２５６個のチップにおいて、それ故に、各スロットの第１番目のシンボル位置において伝送される。
【００８９】
ＳＳＣシンボル期間に亘って収集されるＩとＱの標本は、可能なＳＳＣシンボルの中のいずれがＳＳＣシンボル期間における標本と最高の相関エネルギーを持つかを決定する、ＳＳＣシンボル相関器４０４へ供給される。ＳＳＣシンボルがウォルシュ（Ｗａｌｓｈ）符号である例示的実施形態においては、ＳＳＣシンボル相関器４０４は高速アダマール変換（ｆａｓｔ  Ｈａｄａｍａｒｄ  ｔｒａｎｓｆｏｒｍ）（ＦＨＴ）モジュールである。
【００９０】
ＳＳＣシンボル相関器４０４は復号化されたＳＳＣシンボルを発生させ、且つ、それらをＳＳＣ復号器４０６へ供給する。ＳＳＣ復号器４０６がフレーム期間における各スロットについて１つのＳＳＣシンボルを供給されてしまうとき、ＳＳＣ復号器４０６はグループ識別（ＧＩ）とフレームタイミングを決定するためにＳＳＣ符号語のブロック復号化を行う。前に論議したように、ＷＣＤＭＡは、復号化されるＳＳＣ符号語のシンボルからのフレームの中のスロット位置の識別を可能にするコンマのないＳＳＣ符号を使用する。復号化されるＳＳＣ符号語はまた、次のパイロットチャンネル復号化に使用するために、１６個のグループ識別（ＧＩ）値の１つを唯一に識別する。ＳＳＣ復号器４０６によって発生するフレームタイミング信号とＧＩは、両方ともパイロット検出器２１０に供給される。
【００９１】
本発明の好ましい実施形態においては、ＳＳＣシンボル相関器４０４はまた、各復号化されるＳＳＣシンボルのための相関力距離を発生させ、且つ、この距離をＳＳＣ復号器４０６へ供給する。本発明の好ましい実施形態においては、ＳＳＣ復号器４０６はリードソロモン復号器である。ＳＳＣシンボル相関器４０４によって供給される相関力距離は、ＳＳＣ復号器４０６に前述のチェースアルゴリズムに従ってＳＳＣ符号語の復号化の“軟決定（ｓｏｆｔ  ｄｅｃｉｓｉｏｎ）”を行わせる。
【００９２】
図９はパイロット検出器２１０の例示的実施形態の詳細なブロック図である。受信器２０４からのＩとＱの標本は、ＳＳＣ検出器２０８によって供給されるフレームタイミング信号と一緒に、パイロット標本バッファ５０２によって受信される。パイロット標本バッファ５０２はパイロットデータを含むと期待される各スロットの部分のための標本を収集する。ＷＣＤＭＡにおいては、例えば、パイロットデータは、各スロットの後半の半分、即ち最後の１２８０個のチップで伝送される。
【００９３】
パイロット標本バッファ５０２によって収集されるＩとＱの標本は、各フレームの開始に関してパイロットゴールド符号のオフセットを決定するパイロット相関器５０４へ供給される。パイロット相関器５０４はまた、識別されたグループの中のパイロットオフセットのみを捜索するために構成されてもよいように、グループ識別（ＧＩ）情報を供給される。ＷＣＤＭＡにおいては、例えば、ＧＩ値と関連した各グループは、３２・１６個の可能なパイロットオフセットの中の１６個のみを含む。
【００９４】
本発明の代りの実施形態においては、パイロット標本バッファ５０２は、次のフレーム期間の標本を、既に収集されたものと結合させるための累積器として実施される。これは、より高い信頼性でパイロットオフセットを発生させるために使用される標本値の益々強くなる組を許容する。
【００９５】
好ましい実施形態についての前の説明は、技術的に習熟したどのような人でも、本発明を実施又は使用することを可能にするために提供される。これらの実施形態の種々の変形は、技術的に習熟した人達にとっては既に明白であり、且つ、ここに定義された全般的な原理は、創意に富む能力を使用しなくても、他の実施形態に適用されるかも知れない。このように、本発明はここに示された実施形態に限定されるように意図されるものではなく、ここに開示された原理及び新規な特徴とは矛盾しない、最も広い範囲と一致すべきものである。
以下に本願出願の当初の特許請求の範囲について記載された発明を付記する。
［１］  （ａ）蓄積された値を零にセットすることによって第１の同期化符号（ＰＳＣ）標本累積バッファと第２の同期化符号（ＳＳＣ）標本累積バッファをクリアし、
（ｂ）ＰＳＣ累積値の組を形成するために受信される標本の第１番目の組を前記ＰＳＣ標本累積バッファに累積し、
（ｃ）前記ＰＳＣ標本累積バッファの内容に基づいて第１番目のスロットタイミング推定値を形成し、
（ｄ）前記第１番目のスロットタイミング推定値に基づいてＳＳＣ累積値の組を形成するために受信される標本の第２番目の組を前記ＳＳＣ標本累積バッファに累積し、
（ｅ）前記受信される標本の第２番目の組を前記ＰＳＣ標本累積バッファに累積し、
（ｆ）前記第１番目のスロットタイミング推定値の有効性を決定するための試験を行い、
（ｇ）ＳＳＣ符号シンボルの組を発生させるために、前記ＳＳＣ標本累積バッファの内容に基づき、且つ前記試験によって有効と判明された第１番目のスロットタイミング推定値に基づいて第１番目のＳＳＣ復号化を行い、且つ
（ｈ）ＳＳＣ符号語を発生させるために前記ＳＳＣ符号シンボルに基づいて第２番目のＳＳＣ復号化を行う、
諸ステップを含む信号を受信する方法。
［２］  ステップ（ｂ）における標本の累積は事前決定される持続時間に亘って行われる請求項１の方法。
［３］  前記事前決定される時間は１つのフレームである請求項２の方法。
［４］  前記事前決定される時間はフレームの長さの３倍より大きい請求項２の方法。
［５］  第１番目のスロットタイミング推定値を形成する前記ステップ（ｃ）が、
（ｃ．１）前記ＰＳＣ標本累積バッファにおける現在の各標本オフセットについてのＰＳＣ相関エネルギーを作り出すために前記ＰＳＣ標本累積バッファの内容をＰＳＣ数列と相関させ、且つ
（ｃ．２）前記相関エネルギーの最大のものに相応する標本オフセットを前記第１番目のスロットタイミング推定値として識別する、
諸サブステップを更に含む請求項１の方法。
［６］  前記ステップ（ｃ．１）における相関がディジタル整合フィルタを使用して行われる請求項５の方法。
［７］  前記ステップ（ｆ）が、
（ｆ．１）相関エネルギー比を作り出すために前記相関エネルギーの第２位最大のものによって前記相関エネルギーの前記最大のものを分割し、且つ
（ｆ．２）もし前記相関エネルギー比が事前決定される相関エネルギー閾値より大きいならば前記第１番目のスロットタイミング推定値は有効であると結論する、
諸サブステップを含む請求項５の方法。
［８］  前記相関エネルギーの前記第２位最大のものは相関エネルギーの標本オフセットが前記相関エネルギーの前記最大のものに関連するオフセットに直接隣接しない相関エネルギーの組から選択される請求項７の方法。
［９］  前記ステップ（ｃ）は最大の相関エネルギーを持つ貯蔵棚に隣接する貯蔵棚に関連しない第２位最大の相関エネルギーを蓄えることを更に含み、且つ前記ステップ（ｆ）は前記第１番目のスロットタイミング推定値に相応する相関エネルギーを前記第２位最大の相関エネルギーと比較し、もし前記第２位最大の相関エネルギーに対する最大の相関エネルギーの比が事前決定される相関エネルギー閾値より大きいならば前記第１番目のスロットタイミング推定値は有効と結論することを含む請求項５の方法。
［１０］  前記ステップ（ｃ）が、
（ｃ．１）前記ＰＳＣ標本累積バッファにおける現在の各標本オフセットについてのＰＳＣ相関エネルギーを作り出すために前記ＰＳＣ標本累積バッファの内容をＰＳＣ数列と相関させ、且つＰＳＣ相関エネルギーから得られる組をＰＳＣ相関エネルギーバッファに蓄積し、
（ｃ．２）ＰＳＣ相関エネルギーバッファにおける現在の各標本オフセットについてのＰＳＣ自動相関整合エネルギーを作り出すために前記ＰＳＣ相関エネルギーバッファの内容をＰＳＣ数列の自動相関関数に基づいてＰＳＣ自動相関数列と相関させ、且つ
（ｃ．３）前記ＰＳＣ自動相関整合エネルギーの最大のものに相応する標本オフセットを前記第１番目のスロットタイミング推定値として識別する、
諸サブステップを更に含む請求項１の方法。
［１１］  前記ステップ（ｆ）が、
（ｆ．１）前記ＰＳＣ標本累積バッファの内容に基づいて第２番目のスロットタイミング推定値を形成し、且つ
（ｆ．２）前記第１番目のスロットタイミング推定値はもしそれが前記第２番目のスロットタイミング推定値と等しいならば有効であると結論する、
諸サブステップを含む請求項１の方法。
［１２］  前記ステップ（ｇ）が、
（ｇ．１）前記第１番目のスロットタイミング推定値がステップ（ｆ）において行われる前記試験に従い有効であると判明するまでステップ（ｃ）から（ｆ）までを繰り返し、且つ
（ｇ．２）前記第１番目のスロットタイミング推定値に基づいて前記ＳＳＣ標本累積バッファの内容をＳＳＣ符号シンボルに復号化する、
諸サブステップを含む請求項１の方法。
［１３］  前記第１番目のスロットタイミング推定値が有効であると判明しない間の事前決定されるＰＳＣタイムアウト期間の満了によって、前記ステップ（ｇ．１）は中断され且つ前記方法の実行が前記ステップ（ａ）で再開する請求項１２の方法。
［１４］  前記ステップ（ｄ）は前記受信される標本の第２番目の組を前記ＳＳＣ標本累積バッファに累積する前にその蓄積される値を零にセットすることによって前記ＳＳＣ標本累積バッファを随意にクリアすることを含み、前記随意にクリアすることは前記第１番目のスロットタイミング推定値が前のステップ（ｄ）の実行以来、事前決定される標本スロットの数より多く変化してしまっているときにのみ行われる請求項１２の方法。
［１５］  前記事前決定される標本スロットの数は０である請求項１４の方法。
［１６］  前記事前決定される標本スロットの数は１である請求項１４の方法。
［１７］  前記第１番目のＳＳＣ復号化は相応する相関力距離の組を作り出すために前記ＳＳＣ符号シンボルの組の各々と前記ＳＳＣ標本累積バッファの内容の間の相関の度合を測定することを含む請求項１の方法。
［１８］  前記第２番目のＳＳＣ復号化は前記相関力距離に基づいて前記ＳＳＣ符号語を復号化することおよび軟決定ブロック復号化手法を利用することを含む請求項１７の方法。
［１９］  前記軟決定ブロック復号化手法はチェースアルゴリズムを利用する請求項１８の方法。
［２０］  前記ステップ（ｈ）が、
（ｈ．１）前記ＳＳＣ符号シンボルの組に基づいて最善推測ＳＳＣ復号化符号語を発生させ、
（ｈ．２）前記ＳＳＣ符号シンボルの組に基づいて前記最善推測ＳＳＣ復号化符号語の有効性試験を行い、且つ
（ｈ．３）  前記最善推測ＳＳＣ復号化符号語が前記有効性試験を合格するまで前記ステップ（ｄ）、（ｇ）、（ｈ．１）、および（ｈ．２）を繰り返す、  ことを更に含む請求項１の方法。
［２１］  前記ステップ（ｈ）はサブステップ（ｈ．２）の間に受信される標本に基づき、且つ前記最善推測ＳＳＣ復号化符号語に基づくパイロットオフセットの評価を更に含む請求項２０の方法。
［２２］  もし事前決定されるＳＳＣタイムアウト期間が前記ＳＳＣ符号シンボルの組が前記有効性試験を合格することなく満了し、そこで実行がステップ（ａ）で再開するならば前記ステップ（ｈ．３）は中断する請求項２０の方法。
［２３］  前記有効性試験は前記ＳＳＣ符号シンボルの組と有効なＳＳＣ符号語の最も近い周期的移動の間のハミング距離を測定し、且つ前記ハミング距離を事前決定される最大許容ハミング距離と比較することを含む請求項２０の方法。
［２４］  （ａ）蓄積された値を０にセットすることによってフレーム標本累積バッファをクリアし、
（ｂ）累積値の組を発生させるために受信される標本を前記フレーム標本累積バッファに累積し、且つ
（ｃ）前記累積値の組からスロットタイミング、第２の同期化符号（ＳＳＣ）情報およびパイロット情報を引き出す、
諸ステップを含む信号を受信する方法。
［２５］  ステップ（ｃ）は前記スロットタイミングと前記ＳＳＣ情報の有効性試験を行い、且つ前記スロットタイミングと前記ＳＳＣ情報が前記有効性試験を合格するまでステップ（ｂ）を繰り返すことを更に含む請求項２４の方法。
［２６］  （ａ）ディジタル基底帯域標本のストリームを作り出すために受信される信号をダウンコンバートし且つ標本化するための受信器、
（ｂ）同時に前記標本をスロット標本累積バッファに累積し且つ前記スロット標本累積バッファの内容に基づいてスロットタイミング推定値を発生させるために、前記受信器に作動的に接続されるスロットタイミング検出手段、
（ｃ）同時に前記標本を前記スロットタイミング推定値に基づいてＳＳＣ標本累積バッファに累積し且つ前記ＳＳＣ標本累積バッファの内容に基づいて最善予測ＳＳＣ情報を復号化するために、前記受信器と前記スロットタイミング検出手段に作動的に接続される第２の同期化符号（ＳＳＣ）検出手段、且つ
（ｄ）前記標本と前記最善予測ＳＳＣ情報に基づいてパイロットオフセットを決定するために、前記受信器と前記ＳＳＣ検出手段に作動的に接続されるバイロットオフセット検出手段、
を含む信号を受信するための装置。
［２７］  前記ＳＳＣ検出手段は前記ＳＳＣ標本累積バッファの内容に基づいてＳＳＣシンボルとＳＳＣシンボル相関力距離を発生させるためのＳＳＣシンボル相関器を含む請求項２６の装置。
［２８］  前記ＳＳＣ検出手段は前記ＳＳＣシンボルと前記ＳＳＣシンボル相関力距離を受信し且つ前記ＳＳＣ情報を発生させるための軟決定復号化を行うために、前記ＳＳＣシンボル相関器に作動的に接続されるＳＳＣ復号器を更に含む請求項２７の装置。
【図面の簡単な説明】
【図１】  ＷＣＤＭＡ  ＰＥＲＣＨチャンネルの構造の図である。
【図２】  先行技術の同期化の方法に従うＷＣＤＭＡ  ＰＥＲＣＨチャンネルを伝送するために使用される装置のブロック図である。
【図３】  先行技術の方法に従うＷＣＤＭＡシステムにおいて同期化を獲得するために使用される装置のブロック図である。
【図４】  本発明の実施形態に従うＷＣＤＭＡシステムにおいて同期化を獲得する方法の図である。
【図５】  本発明の代案の実施形態に従うＷＣＤＭＡシステムにおいて同期化を獲得する方法の図である。
【図６】  本発明の実施形態に従うＷＣＤＭＡ信号の同期化を獲得するために使用される装置の高レベルのブロック図である。
【図７】  本発明の実施形態に従って形成される第１の同期化符号検出装置のブロック図である。
【図８】  本発明の実施形態に従って形成される第２の同期化符号検出装置のブロック図である。
【図９】  本発明の実施形態に従って形成されるパイロットオフセット検出装置のブロック図である。
【符号の説明】
２０４…受信機  ２０６…ＰＳＣ検出器  ２０８…ＳＳＣ検出器  ２１０…パイロット検出器  ２１２…制御プロセッサ  ３０４Ａ、３０４Ｂ…スロット標本累積器  ３１０…整合フィルタ  ３１４…スロットタイミング決定モジュール  ４０２…ＳＳＣバッファ  ４０４…ＳＳＣシンボル相関器  ４０６…ＳＳＣ復号器  ５０２…パイロット標本バッファ  ５０４…パイロット相関器
【図１】
0004541616.tif 000002
【図２】
0004541616.tif 000003
【図３】
0004541616.tif 000004
【図４】
0004541616.tif 000005
【図５】
0004541616.tif 000006
【図６】
0004541616.tif 000007
【図７】
0004541616.tif 000008
【図８】
0004541616.tif 000009
【図９】
0004541616.tif 000010